(57)【要約】【課題】  遊技機ホールにおいて、複数の遊技機を設置するための島構造を、熟練を要することなく、短時間で構築する。【解決手段】  ホールの床面Ｆに、前後方向に向けたサイドフレームユニット１１，１１…を、左右方向に複数立設する。各サイドフレームユニット１１は、固定具２６によって前後方向及び左右方向の調整移動が可能である。複数のサイドフレームユニット１１，１１…における隣接する２個のサイドフレームユニット１１，１１を、それぞれに係合させた下フレームユニット１２、上フレームユニットによって順次に連結するといった、簡単な構成、及び方法で島構造を構築する。【選択図】      図６
2005305104.tif 000002
【特許請求の範囲】
【請求項１】
ホール内において複数の遊技機が整列状態で取り付けられる島構造であって、複数の前記遊技機が左右方向に整列された状態で、背中合わせで２列にわたって取り付ける島構造において、
前後方向に向けた姿勢で床面に立設されるとともに、左右方向に複数配設されたサイドフレームユニットと、
隣接する２個のサイドフレームユニットのそれぞれに係合されて、これらサイドフレームユニットを連結する連結フレームユニットと、によって構造体を構築する、
ことを特徴とする島構造。
【請求項２】
前記サイドフレームユニットと前記連結フレームユニットとは、一方に係合凹部が形成され、他方に係合凸部が構成され、これら係合凹部と係合凸部とを係合させることで、相互に連結される、
ことを特徴とする請求項１に記載の島構造。
【請求項３】
前記係合凹部と前記係合凸部とは、前記サイドフレームユニットに対して前記連結フレームユニットを上方から下方に移動させることで係合される、
ことを特徴とする請求項２に記載の島構造。
【請求項４】
ホール内において複数の遊技機が整列状態で取り付けられる島構造の構築方法であって、複数の前記遊技機が左右方向に整列された状態で、背中合わせで２列にわたって取り付ける島構造の構築方法において、前後方向に向けた姿勢で、左右方向に複数のサイドフレームユニットを立設し、
隣接する２個のサイドフレームユニットのそれぞれに連結フレームユニットを係合させて、これらサイドフレームユニットを連結して島構造を構築する、
ことを特徴とする島構造の構築方法。
【請求項５】
前記サイドフレームユニットと前記連結フレームユニットとは、一方に係合凹部が形成され、他方に係合凸部が構成され、これら係合凹部と係合凸部とを係合させることで、相互に連結される、
ことを特徴とする請求項４に記載の島構造の構築方法。
【請求項６】
前記サイドフレームユニットに対して前記連結フレームユニットを上方から下方に移動させることで前記係合凹部と前記係合凸部とを係合させる、
ことを特徴とする請求項５に記載の島構造の構築方法。
【発明の詳細な説明】
【技術分野】
【０００１】
本発明は、パチンコホールやパチスロホールにおける島構造及びこれの構築方法に関する。
【背景技術】
【０００２】
パチンコホールやパチスロホールにおいては、複数の遊技機を一まとめにしたブロック、いわゆる島を複数個所に設けることで、ホール全体を構成している。このような島は、ホールの新装開店時には新たに構築されたり、また改装時には、古いものを壊して、新たに配置換えされたりする。
【０００３】
この島は、一般に、まず木枠等によって複数の遊技機を取り付けるための構造物を構成し、これに遊技機を取り付けることで島全体を構築する。この作業は普通、内装工事を行う職人によって行われる。
【０００４】
また、特許文献１には、片側３台で２列、計６台の遊技機を備えたブロックを複数並べることで、イベント会場やホール内に多数の遊技機を設置するものが開示されている。
【特許文献１】特開２００２−２８３５５号公報
【発明の開示】
【発明が解決しようとする課題】
【０００５】
しかしながら、前者の内装工事を伴うものは、工事を行うことができるのが熟練者に限定され、また多くの時間を費やすといった問題があった。このため、ホールの営業ができない時間が長引くといった問題があった。また、一旦構築した島は、再利用ができないという省資源上の問題もあった。
【０００６】
一方、特許文献１に開示されているものは、各ブロックが大きいため、このブロックを搬送したり、並べたりするために、大型のトラックや重機が必要になる等の問題があった。また、イベント会場に設置するには適していても、ホール内に設置するには不向きであるという問題もあった。
【０００７】
そこで、本発明は、熟練を要することなく、短時間で構築することができ、しかも再利用が可能であり、さらに運搬時や構築時に大型のトラックや重機が不要で、ホール内に好適に構築することができる島構造、及びその構築方法を提供することを目的とするものである。
【課題を解決するための手段】
【０００８】
本発明（島構造）は、ホール内において複数の遊技機が整列状態で取り付けられる島構造であって、複数の前記遊技機が左右方向に整列された状態で、背中合わせで２列にわたって取り付ける島構造において、前後方向に向けた姿勢で床面に立設されるとともに、左右方向に複数配設されたサイドフレームユニットと、隣接する２個のサイドフレームユニットのそれぞれに係合されて、これらサイドフレームユニットを連結する連結フレームユニットと、によって構造体を構築する、ことを特徴としている。
【０００９】
本発明（島構造の構築方法）は、ホール内において複数の遊技機が整列状態で取り付けられる島構造の構築方法であって、複数の前記遊技機が左右方向に整列された状態で、背中合わせで２列にわたって取り付ける島構造の構築方法において、前後方向に向けた姿勢で、左右方向に複数のサイドフレームユニットを立設し、隣接する２個のサイドフレームユニットのそれぞれに連結フレームユニットを係合させて、これらサイドフレームユニットを連結して島構造を構築する、ことを特徴としている。
【発明の効果】
【００１０】
以上説明したように、本発明によると、床面にサイドフレームユニットを立設し、隣接するサイドフレームユニットに連結フレームユニットを係合させるといった簡単な構造、及び方法で島を構築することができるので、島構造の構築に、熟練を要することなく、短時間で構築することができ、しかも再利用が可能であり、さらに運搬時や構築時に大型のトラックや重機が不要で、ホール内に好適に構築することができる。
【発明を実施するための最良の形態】
【００１１】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００１２】
図１は、本発明に係る島構造が適用された島１の全体斜視図である。また図２（ａ）は島１全体の上面図、（ｂ）は正面図である。ここで、以下の説明では、島１に設置する遊技機がパチンコ台Ｍであって、このパチンコ台Ｍを１列１４台で表側（図１，図２で見える側）に１列、裏側（図１，図２では見えない側）に１列の計２列で、合計２８台配設して１つの島１を構成する場合を例に説明する。なお、これらの図に示す島１は、正面から見た状態において、中央に、パチンコ玉を回収するための柱状のパチンコ玉回収路Ｐが配設されていて、このパチンコ玉回収路Ｐを境に、左側に７台、右側に７台のパチンコ台Ｍ（ただし、図１において左側の７台のパチンコ台Ｍを図示）が設置されるようになっている。また、図１，図２（ｂ）においては、島１におけるパチンコ玉回収路Ｐの左側と右側とでは異なる状態を示している。
【００１３】
島１は、島の強度メンバー（構造体）となるフレーム状の島構造（後述のサイドフレームユニット１１，連結フレームユニット１２〜１５）と、島構造に組み込まれる付属装備（後述のパチンコ玉回収樋１６、パチンコ玉補給路１７等）と、島構造に取り付けられるパネル部材（後述の下パネル１８ａ，１８ｂ、上パネル１９ａ，１９ｂ、サイドパネル２０ａ，２０ｂ）と、パチンコ台等とを主要構成要素として構築されている。
【００１４】
このうち島構造は、前後方向に向けた姿勢でホールの床面Ｆに立設されるとともに、左右方向に複数（本実施の形態では１０個）配設されたサイドフレームユニット１１，１１…、連結フレームユニットとしての、下フレームユニット１２，１２…、１３，１３…と、上フレームユニット１４，１４…、１５，１５…とによって構築されている。なお、図１においては、この島構造に、下パネル１８ａ，１８ａ…、１８ｂ，１８ｂ…、上パネル１９ａ，１９ａ…、１９ｂ，１９ｂ…、そして左側のサイドパネル２０ａ，右側のサイドパネル２０ｂが取り付けられた状を示している。
【００１５】
図３（ａ）に、サイドフレームユニット１１を左側から見た図を示す。また、図３（ｂ），（ｃ），（ｄ），（ｅ）は、この順に、上パネル１４の斜視図、後側の上パネル１４の縦断面図、前側の上パネル１４の縦断面図、後側の下パネル１２の縦断面図である。（ａ）に示すように、サイドフレームユニット１１は、縦長のフレーム状に形成されていて、軸Ｃを基準として前側（同図中の右側）と後側（同図中の左側）とが線対称となるように構成されている。サイドフレームユニット１１は、下から順に配置された、２本の下支柱２１，２１、中支柱２２，２２、上支柱２３，２３と、これらを連結する連結部材２４，２４…、２５，２５…とによって、全体としてユニットを構成している。２本の下支柱２１，２１及び上支柱２３，２３は、前後方向の間隔がほぼ同じに配置されていて、中支柱２２，２２は、これらよりも狭い間隔で配置されている。各中支柱２２の下端及び上端は、それぞれ連結部材２４，２４によって、下支柱２１の上端、及び上支柱２３の下端に連結されている。さらに２本の下支柱２１，２１は、その下端において、連結部材２５によって連結され、また２本の上支柱２３，２３は、その上端において連結部材２５によって連結されている。上述の各支柱は、その長手方向に直交する方向の断面形状が矩形の溝形部材（例えば鋼材）によって形成されている。また、２本の中支柱２２，２２には補強板５７が係合（後述）及びリベット（後述）によって固定されている。なお、この補強板５７は、コンセント等（不図示）を取り付ける台座としても兼用される。
【００１６】
このように構成されたサイドフレームユニット１１の下端、すなわち下支柱２１，２１の下端には、サイドフレームユニット１１をホールの床面Ｆに立設させるための固定具２６，２６がそれぞれ設けてある。図４に固定具２６の拡大斜視図、また図５（ａ）に拡大側面図、（ｂ）に拡大正面図、（ｃ）に拡大上面図を示す。
【００１７】
固定具２６は、一体に形成された２個のＬ字形部材３１，３２と、コ字形部材３３とこれらを締結するボルト、ナットによって構成されている。（ｃ）に示すように、Ｌ字形部材３２には、前後方向に長い長孔３２ａ，３２ａが穿設されている。この長孔３２ａ，３２ａには、床面Ｆに埋め込まれたアンカーボルト３４ａが貫通され、このアンカーボルト３４ａにナット３４ｂが螺合されている。Ｌ字形部材３２は、この長孔３２ａ，３２ａによって、床面Ｆに対して前後方向に移動可能となっている。（ｂ）に示すように、コ字形部材３３には、上下方向に長い長孔３３ｂ，３３ｂが穿設されている。この長孔３３ｂ，３３ｂには、Ｌ字形部材３２を貫通するボルト３６ａが貫通されていて、このボルト３６ａには、ナット３６ｂが螺合されている。コ字形部材３３は、この長孔３３ｂ，３３ｂによって、Ｌ形部材３２に対して上下方向に移動可能となっている。コ字形部材３３の下部に位置する部分には、先端をＬ字形部材３１の台座３１ａに当接させたボルト３５ａが貫通していて、このボルト３５ａには、コ字形部材３３の下部に位置する部分を上下から挟み込むように２個のナット３５ｂ，３５ｃが螺合されている。コ字形部材３３は、このナット３５ｂ，３５ｃの位置を調整することにより、Ｌ字形部材３１に対する上下方向の位置決め（レベル調整）が可能となっている。（ｃ）に示すように、コ字形部材３３の上部に位置する部分には、左右方向に長い長孔３３ａ，３３ａが穿設されている。この長孔３３ａ，３３ａには、ナット３７ｂが螺合されたボルト３７ａが貫通されている。コ字形部材３３は、このボルト３７ａとナット３７ｂとによって、上述のサイドフレームユニット１１の下支柱２１の下端に固定されるようになっている。サイドフレームユニット１１の下支柱２１の下端には、図４に示すように、２個のＬ字形部材２１ａ，２１ａが溶接によって固定されている。これらＬ字形部材２１ａ，２１が、上述のボルト３７ａとナット３７ｂとによってコ字形部材３３に固定されるようになっている。上述のサイドフレームユニット１１は、このような固定具２６を使用することにより、床面Ｆに対して、前後方向、上下方向、及び左右方向に、長孔３２ａ，３２ａ、３３ｂ，３３ｂ、３３ａ，３３ａに対応する寸法だけ、位置調整可能となっている。
【００１８】
図６（ａ）に、下フレームユニット１２の、斜め前方及び斜め上方から見た斜視図を示す。また図６（ｂ）側面図を示す。下フレームユニット１２は、上，下の２本の横部材４１，４１と、左，中，右の３本の縦部材４２とを連結させて、全体として枠状のユニットを構成している。上述の横部材４１は断面が矩形の溝形部材によって形成され、また縦部材４２は断面がコ字形の溝形部材によって形成されている。左の縦部材４２の左側の側面における上部及び下部には、凸側係合部４３，４３…（後に図７を参照して詳述する）が設けられている。同じく、右の縦部材４２の右側の側面における上部及び下部には、凸側係合部４３，４３…が設けられている。これら凸側係合部４３の係合先は、上述のサイドフレームユニット１１の下支柱２１の内側の面に設けられた凹側係合部４４である。なお、凹側係合部４４は、下支柱２１の左右のそれぞれの側面に前後２列にわたって上下方向に多数、設けられている。また同様の凹側係合部４４は、中支柱２２、上支柱２３にも形成されている。
【００１９】
図７に凸側係合部４３、凹側係合部４４の拡大図を示す。同図には、それぞれ２個ずつ図示している。凹側係合部４４は、凹部（係合凹部）４４ｄと留め孔４４ｃとによって構成されている。このうち凹部４４ｄは、横長の矩形の透孔４４ａと、この透孔４４ａの下端に連続する、縦長で下部ほど幅が狭くなる透孔４４ｂとによって構成されている。そして、この凹部４４ｄのすぐ下に、円形の透孔からなる留め孔４４ｃが穿設されている。一方、凸側係合部４３は、凸部（係合凸部）４３ｄと留め孔４３ｃとによって構成されている。凸部４３ｄは、十字形に切り起こされた縦部４３ａと横部４３ｂとによって構成されている。縦部４３ａは、上端と下端とが本体４３ｅに接続されていて、中央部が本体から浮き上がるようになだらかに湾曲している。そして、この中央部において横部４３ｂが左右に突出するように設けられている。この横部４３ｂは、左右方向の長さａが凹側係合部４４の透孔４４ａの左右方向の長さＡよりも短く、また上下方向の長さｂが透孔４４ａの上下方向の長さＢよりも短くなるように設定されている。さらに縦部４３ａの左右方向の長さｃは、凹側係合部４４の透孔４４ｂの上端の左右方向の幅Ｃ１よりも短く、かつ下端の左右方向の幅Ｃ２よりも長くなるように設定されている。凸側係合部４３の凸部４３ｄのすぐ下には、上述の凹側係合部４４側の留め孔４４ｃに対応する留め孔４３ｃが穿設されている。
【００２０】
上述のように構成された凸側係合部４３と凹側係合部４４との係合は次のようにして行う。まず、凸部４３ｄの横部４３ｂを、凹部４４ｄの透孔４４ａに対して表面側から裏面側に貫通させる。その後、凸側係合部４３側を下方に移動させる。これにより横部４３ｂは、透孔４４ｂの裏面側を、縦部４３ａが透孔４４ｂによって停止されるまで下降する。すなわち、縦部４３ｂは、その幅ｃが透孔４４ｂの上端の幅Ｃ１よりも小さくかつ下端の幅Ｃ２よりも大きく設定されているので、透孔４４ｂ側の幅がｃになる位置まで下降して透孔４４ｂに係合する。この状態で、凸部４３ｄは、横部４３ａが透孔４４ｂの裏面側に係合するので、凹部４４ｄからの脱落が阻止される。この係合により、凸側係合部４３側の留め孔４３ｃと、凹側係合部４４側の留め孔４４ｃとの位置が一致するので、これら留め孔４３ｃ，４４ｃにリベット４５を挿入して凸側係合部４３と凹側係合部４４とを固定する。リベット４５は、図７に示すように、プラスチック製のピン４５ａとハトメ４５ｂとによって構成されている。ハトメ４５ｂはほぼ円筒上に形成されていて、先端側（同図中の左側）は、母線に沿って形成された４本のスリット４５ｃによって周方向に４等分されている。４等分されたそれぞれの部分のおける先端側には、内側に向けて突設された突起部（不図示）が設けられている。このハトメ４５ｂを留め孔４３ｃ，４４ｃに挿入した後、ハトメ４５ｂの内側にピン４５ａを挿入することにより、ピン４５ａの先端が突起部に当接して、ハトメ４５ｂの先端側を拡開する。これにより、凸側係合部４３と凹側係合部４４との係合、及び固定が完了する。なお、係合を解除する場合には、リベット４５を破壊し、上述の係合時とは逆の手順、すなわち凸側係合部４３側を少し持ち上げて透孔４４ｂから横部４３ｂを外し、さらに、この横部４３ｂを透孔４４ａの裏面側から表面側に抜き取ることによって、簡単に係合を解除することができる。
【００２１】
本発明においては、上述のような凸部４３と凹部４４とによって係合部を構成し、凹部４４をサイドフレームユニット１１の下支柱２１側に設け、一方、凸部４３を下フレームユニット１２の左右の縦部材４２，４２のそれぞれの外側の面の上部と下部とに設け、図６（ａ），（ｂ）に示すようにして両者を係合させて係合部を構成することにより、隣接するサイドフレームユニット１１，１１を下フレームユニット１２により、簡単に連結することができる。このとき、下フレームユニット１２の凸部４３は、下支柱２１の２列ある凹部４４のうちの外側の凹部４４に係合させるようにする。なお、内側の凹部４４には、パチンコ玉回収桶１６（後述）が同様の方法で係合されるようになっている。
上フレームユニット１４も、上述の下フレームユニット１２と同様にして、隣接するサイドフレームユニット１１，１１を簡単に連結することができる。すなわち、上フレームユニット１４は、図３（ｂ），（ｃ），（ｄ）に示すように、下横部材９１と、上横部材９２と、左，右の２本の縦部材９３，９３とを連結させて、全体として枠上のユニットを構成している。下横部材９１、上横部材９２、縦部材９３，９３は、いずれも断面コ字形の溝形部材によって形成されていて、いずれも開口部を内側に向けている。ただし、下横部材９１は、前後方向に幅が、上横部材９２の前後方向の幅よりも大きくなるように構成されていて、その突出部分がサイドフレームユニット１１の軸Ｃに向かって突出するように形成されている。本発明においては、凹部４４をサイドフレームユニット１１の上支柱２３側に設け、一方、凸部４３を上フレームユニット１４の左右の縦部材９３，９３のそれぞれの外側の面の上部と下部とに設け、図３に示すようにして両者を係合させて係合部を構成することにより、隣接するサイドフレームユニット１１，１１を上フレームユニット１４により、簡単に連結することができる。このとき、上フレームユニット１４の凸部４３は、上支柱２３の２列ある凹部４４のうちの外側の凹部４４に係合させるようにする。なお、内側の凹部４４には、支持板６０，６１（後述）が同様の方法で係合されるようになっている。
【００２２】
上述のように、隣接するサイドフレームユニット１１，１１を上述の固定具２６により位置調整しながら、順次、下フレームユニット１２，上フレームユニット１４で連結することにより、１つの島１における島構造を構築することができる。なお、図２（ａ），（ｂ）に示す島１においては、パチンコ玉回収路Ｐの左側に位置する５個のサイドフレームユニット１１，１１…のうち、左から１番目と２番目のサイドフレームユニット１１，１１の間隔は、１台のパチンコ台に相当する間隔に設定されており、２番目から５番目までの間の相互に隣接するサイドフレームユニット１１，１１の間隔は、２台のパチンコ台に相当する間隔に設定されている。これに対応して、下フレームユニット１３、上フレームユニット１５は、１台のパチンコ台に対応して幅狭に、一方、下フレームユニット１２，１２…、上フレームユニット１４は２台のパチンコ台に対応して幅広に構成されている。
以上のようにして、サイドフレームユニット１１，１１…、下フレームユニット１２，１２…、１３、上フレームユニット１４，１４…、１５により、島１のうちの強度メンバー（構造体）となるフレーム状の島構造を構築することができる。
【００２３】
つづいて、上述の島構造に対して、付属設備を組み込む。
図２，図９（ａ）〜（ｄ），図１０に付属設備としてのパチンコ玉回収樋１６を示す。このうち図２は正面図、図９（ａ）は上面図、（ｂ）は（ａ）のＸ−Ｘ線矢視図、（ｃ）は正面図、（ｄ）は樋５４を左方から見た図、図１０は、一部分解斜視図である。これらの図に示すパチンコ玉回収樋１６は、それぞれ隣接するサイドフレームユニット１１，１１間に配設された４個の樋５３，５４，５５，５６を左右方向に連結して構成されている。樋５３，５４，５５，５６は、それぞれ前側及び後側の側板５３ａ，５４ａ，５５ａ，５６ａと、底板５３ｂ，５４ｂ，５５ｂ，５６ｂとを有している。また樋５３〜５６は、樋５４について例示しているように、左右の両端部にそれぞれ額縁状の連結部５４ｃ，５４ｃを有している。この連結部５４ｃには、図９（ｄ），図１０に示すように、サイドフレームユニット１１の下支柱２１に接触する面に上述の凸側係合部４３，４３…が設けられている。連結部５４ｃは、この凸側係合部４３，４３…を、下支柱２１の凹側係合部４４に係合することで下支柱２１に取り付けられている。このとき下支柱２１の２列ある凹側係合部４４のうちの内側の凹側係合部４４に係合させている。なお、外側の凹側係合部４４には、前述したように、下フレームユニット１２が係合されている。また連結部５４ｃには、図９（ｂ），（ｃ），図１０に示すように、前側と後側とにそれぞれ内側に向けて連結板５４ｄ，５４ｄが突設されている。この連結板５４ｄには、上述の凹側係合部４４，４４…が形成されている。前側及び後側の側板５４ａには、（ｃ）に示すように、その左端部と右端部とに、凸側係合部４３，４３…が形成されている。側板５４ａ，５４ａは、これら凸側係合部４３，４３…を、連結板５４ｄ，５４ｄの凹側係合部４４，４４…に係合させることで、２個の連結板５４ｄ，５４ｄ間に取り付けられている。図９（ｃ）に示すように、側板５２ａには、左端側と中央と右端側とに、多数のピン孔５４ｆ，５４ｆ…が上下方向に多数穿設されている。これらピン孔５４ｆ，５４ｆ…のうちの適宜なものにピン（不図示）を装着し、このピンによって底板５４ｂを下方から支持することで、底板５４を適宜は傾斜に設定している。隣接する２枚の側板、例えば、側板５３ａ，５４ａは、接続板５４ｅによって接続されている。
【００２４】
各樋５３，５４，５５，５６を上述のように構成することにより、底板５３ｂ，５４ｂ，５５ｂ，５６ｂが島１の左側から中央のパチンコ玉回収路Ｐに向かって緩やかに下降するパチンコ玉回収樋１６を構成することができる。
付属設備としてのパチンコ玉補給路１７は、図２（ｂ），図１１に示すように、各サイドフレームユニット１１の前側の上支柱２３と後側の上支柱２３との間を左右方向に貫通するように配設されている。各サイドフレームユニット１１における前後２本の上支柱２３，２３間を連結するように支持板６０が取り付けられている。この支持板６０には、その前後方向の両端部に、それぞれ凸部４３ｄと留め孔４３ｃとを有する凸側係合部４３，４３…が設けてある。支持板６０は、これら凸部４３ｄ，４３ｄ…をサイドフレームユニット１１の上支柱２３の内側の凹側係合部４４に係合させ、留め孔４３ｃを打ち込むことで上支柱２３，２３に固定されている。図１１に示すように、この支持板６０には、調整ビス６４，６４によって高さ調整及び前後の傾斜調整が可能な調整板６２が取り付けられている。上述のパチンコ玉補給路１７は、この調整板６２の上に載せられ、さらに、固定ビス６５，６５により、固定金具６３によって固定されている。図１２（ａ）にパチンコ玉補給路７３の他の取り付け例を示す。同図に示すように、支持部材７０から吊り下げられた吊下部材７１，７１によってパチンコ玉補給路７３，７３を支持し、固定金具７２によって固定するようにしてもよい。なお、パチンコ玉補給路７３は、使用状況に応じて、（ａ）に示すように２段に構成したり、（ｂ）に示すように１段に構成したりすることができる。
【００２５】
図３に示すように、上述の支持板６０の少し下方には、付属設備としての配線支持板６１が配設されている。配線支持板６１は、その前後方向の両端部に凸側係合部４３，４３…が形成されていて、この凸側係合部４３，４３…を上支柱２３の内側の凹側係合部４４，４４…に係合させ、リベットを打ち込むことで上支柱２３，２３に固定されている。配線支持板６１は、その上部の中央に凹部６１ａが形成されていて、この凹部６１ａによって各種の配線を下方から支持している。
【００２６】
上述の島構造には、付属設備のほかに、各種のパネル部材が取り付けられる。図８（ａ）は、下フレームユニット１２を取り付けるための構成を示す斜視図であり、（ｂ）はサイドフレームユニット１１、下フレームユニット１２、下パネル１８ａを右方から見た図である。下フレームユニット１２の前面には、その上部と下部とに左右方向の全長にわたって取付け部材４６，４７が取り付けられている（ただし、取付け部材４７は、その右端側の一部を図示している。）。これら取付け部材４６，４７は、それぞれ両端部に凸側係合部４３，４３が形成されていて、この凸側係合部４３，４３を下パネル１２の縦部材４２の前面に形成された凹側係合部４４，４４に係合させることで、下フレームユニット１２に固定されている。これら取付け部材４６，４７は上部に、長手方向に直交する方向の断面形状がＬ字形のフックを有している。一方、下パネル１８ａには、上側の取付け部材４６に係脱可能な係止部１８ａ１が左右方向の全長にわたって設けられ、また下側の取付け部材４７に係脱可能な係止部１８ａ２が左右の端部に設けられている。下パネル１８ａは、これら係止部１８ａ１，１８ａ２をそれぞれ取付け部材４６，４７に係合させることで、下フレームユニット１２の前面を覆うように取り付けられている。
【００２７】
また、図１３（ａ）は上パネル１９ａを右方から見た図である。上パネル１９ａは、サイドフレームユニット１１の上支柱２３の前面に、開閉自在に取り付けられている。すなわち、上パネル１９ａは、上支柱２３の前面に固定された固定部７５ａとこの固定部７５ａに対して揺動自在な可動部７５ｂとからなるヒンジ７５の、上述の可動部７５に固定されている。上パネル１９ａは、これにより、上端を回動中心として、ほぼ垂直の閉位置（図１３（ａ）の実線で図示）とほぼ水平の開位置（同図の二点鎖線で図示）とを取ることができるようになっている。なお、開位置に開かれた上パネル７５は、図１３（ｂ）に示す支持具７６、すなわち固定部材７７に固定されて軸７６ａを中心に矢印方向に回動可能な支持具７６の開状態における上面７６ｂによって下方から支持される。これにより、上パネル７５は開状態を維持することができるようになっている。
【００２８】
パチンコ台は、図３に示す取付け板５２上に設置される。この取付け板５２のすぐ下には、パチンコ台を使用する遊技者が例えば獲得したパチンコ玉をケースに入れて置くのに利用する膳板５１が配設されている。図１４（ａ），（ｂ）にパチンコ台８０を示す。ただし、同図ではパチンコ台の一部である木枠、すなわち上枠８１、下枠８２、左枠８３、右枠８４のみを図示している。また、（ｂ）では左方が前側である。パチンコ台８０は、上枠８１が２個の止具８５，８５により、また下枠８２が２個の止具８６，８６によって島構造に取り付けられている。上側の止具８５は、上フレームユニット１４の横部材９１と、これに上側を係合させた金具８５ａとの間で、上枠８１の後部を固定ネジ８５ｂによって挟み込むことで固定する。また下側の止具８６は、上述の取付け板５２の後部にビス８６ｂ，８６ｂによって固定された金具８６ａを有している。そして、この金具８６ａに螺合された調整ネジ８６ｃにより、下枠８２の前後方向の位置を調整し、位置調整後に固定ネジ８６ｄによって下枠８２の後部を固定している。このようにパチンコ台８０は、これら止具８５，８５，８６，８６によって、垂直面に対する左右方向の傾斜及び前後方向の傾斜が微調整できるようになっている。
【００２９】
以上説明したように、本発明に係る島構造によると、床面Ｆにサイドフレームユニット１１，１１…を立設し、隣接するサイドフレームユニット１１，１１に連結フレームユニットである下フレームユニット１２，１２…、１３、及び上フレームユニット１４，１４…、１５を、上述のような係合部を介して連結するといった簡単な構造、及び方法で構築することができる。したがって、島構造の構築に、熟練を要することなく、短時間で構築することができ、しかも再利用が可能であり、さらに構築時に大型のトラックや重機が不要で、ホール内に好適に構築することができる。特に各ユニットの大きさや重量を、１人の作業者で扱いうる限度内、例えば重量については２０ｋｇ以内に収めるようにした場合には、重機を使用する必要がなくなり、島構造の構築に際しての作業性を大幅に向上させることができる。
【００３０】
上述のように、本発明に係る島構造は、隣接するサイドフレームユニットと、これらを連結する連結フレームユニットとを主要構成要素として構成されているので、島の規模や構成を簡単に変更することができる。
なお、上述では、複数のパチンコ台を２列にわたって設置する島構造を例に説明したが、本発明はこれに限定されるものではなく、１列の島構造を構築する場合にもほぼ同様に適用することができ、この場合でも同様の効果を奏することができる。
【００３１】
図１５（ａ），（ｂ）にそれぞれ上述の係合部とは異なる形状の係合部を示す。（ａ）に示す凹側係合部４４Ａは、円形の透孔ｂ１とこの下端に連続する透孔ｂ２とからなる凹部を有し、さらに凹部のすぐ下方に穿設された円形の透孔からなる留め孔ｂ３を有している。一方、凸側係合部４３Ａは、上述の透孔ｂ１に挿脱可能な円形凸部ａ２と、この円形凸部ａ２の上端と下端とをそれぞれ本体に連結する連結部ａ１とからなる凸部を有し、さらにこの凸部のすぐ下方に穿設された円形の透孔からなる留め孔ａ３を有している。係合に際しては、円形凸部ａ２を透孔ｂ１に挿入し、凸側係合部４３Ａを下方に移動させる。これにより、下側の連結部ａ１が透孔ｂ２の底部に当接し、円形凸部ａ２が透孔ｂ２の裏面側に係合する。この係合により、留め孔ｂ３に留め孔ａ３が一致するので、これら留め孔ｂ３，ａ３にリベット（図７参照）を打ち込んで両者を固定する。
【００３２】
図１５（ｂ）に示す凹側係合部４４Ｂは、逆三角状の透孔ｂ４とこの下端に連続する透孔ｂ５とからなる凹部を有し、さらに凹部のすぐ上に穿設された円形の透孔からなる留め孔ｂ６を有している。一方、凸側係合部４３Ｂは、上述の透孔ｂ１に挿脱可能な逆三角状の三角凸部ａ４と、この三角凸部ａ４の上端と下端とをそれぞれ本体に連結する連結部ａ５とからなる凸部を有し、さらにこの凸部のすぐ上方に穿設された円形の透孔からなる留め孔ａ６を有している。係合に際しては、三角凸部ａ４を透孔ｂ４に挿入し、凸側係合部４３Ｂを下方に移動させる。これにより、下側の連結部ａ５が透孔ｂ５の底部に当接し、三角凸部ａ４が透孔ｂ５の裏面側に係合する。この係合により、留め孔ｂ６に留め孔ａ６が一致するので、これら留め孔ｂ６，ａ６にリベット（図７参照）を打ち込んで両者を固定する。
【００３３】
なお、上述の図１５（ａ），（ｂ）に示す係合部の解除は、それぞれ上述の係合とは逆の手順で簡単に行うことができる。
本発明において、凸側係合部と凹側係合部との形状については、それぞれの係合時に、一方に対して他方をほぼ上方から下方に移動させることで係合動作を完了するものであれば、特に形状を限定するものではない。しかしながら、前述のように、凸側係合部４４，４４Ａ，４４Ｂに例示したように、横部４３ｂ，円形凸部ａ２，三角凸部ａ４がそれぞれの上端において本体と連結されている構成を採用した場合には、強度的に有利な構成とすることができる。
【００３４】
また、上述ではパチンコ台を設置するための島構造について説明したが、これに限定されるものではなく、パチスロ台や雀球台など、他の遊技機を設置する場合にも適用することができる。ただし、この場合には、付属設備の構成が異なるものとなる。
また、本発明は、原理的には、係合部を構成する凸側係合部と凹側係合部とをそれぞれ上述で説明した逆の部材に設けるようにすることも可能である。
【図面の簡単な説明】
【００３５】
【図１】パチンコホールにおける島の構成を示す斜視図である。
【図２】（ａ）は島の上面図、（ｂ）は島の正面図である。
【図３】サイドフレームユニット全体を左方（又は右方）から見た図である。
【図４】サイドフレームユニットを床面に立設するための固定具、およびその固定方法を説明する斜視図である。
【図５】（ａ）はサイドフレームユニットを床面に立設するための固定具の側面図である。（ｂ）は正面図、（ｃ）は上面図である。
【図６】（ａ），（ｂ）はサイドフレームユニットに対して下フレームユニットを取り付けるようすを説明する図である。
【図７】係合部を構成する凸側係合部及び凹側係合部の構成を示す拡大斜視図である。
【図８】（ａ），（ｂ）は下フレームユニットに対して下パネルを取り付けるようすを説明する図である。
【図９】（ａ），（ｂ），（ｃ），（ｄ）はパチンコ玉回収樋の構成を説明する図である。
【図１０】樋の構成を説明する一部の分解斜視図である。
【図１１】パチンコ玉補給樋の支持構成を説明する側面図である。
【図１２】（ａ），（ｂ）はそれぞれ別のパチンコ玉補給樋の他の支持構成を説明する側面図である。
【図１３】（ａ）は上パネルの構成及び動作を説明する図である。（ｂ）は上パネルを開状態に保持するための構成を説明する斜視図である。
【図１４】（ａ），（ｂ）はパチンコ台の取付け構造及び方法を説明する図である。
【図１５】（ａ），（ｂ）はそれぞれ別の係合部の形状を説明する斜視図である。
【符号の説明】
【００３６】
１          島
１１        サイドフレームユニット
１２，１３  下フレームユニット（連結フレームユニット）
４３，４３Ａ，４３Ｂ
凸側係合部
４４，４４Ａ，４４Ｂ
凹側係合部
８０，Ｍ    パチンコ台（遊技機）
Ｆ          床面
【図１】
2005305104.tif 000003
【図２】
2005305104.tif 000004
【図３】
2005305104.tif 000005
【図４】
2005305104.tif 000006
【図５】
2005305104.tif 000007
【図６】
2005305104.tif 000008
【図７】
2005305104.tif 000009
【図８】
2005305104.tif 000010
【図９】
2005305104.tif 000011
【図１０】
2005305104.tif 000012
【図１１】
2005305104.tif 000013
【図１２】
2005305104.tif 000014
【図１３】
2005305104.tif 000015
【図１４】
2005305104.tif 000016
【図１５】
2005305104.tif 000017